(57)【要約】      （修正有）【課題】椅子に腰掛けたりソファに横座りしたりする際に上掛け且つ袖通しができ寒さ避けとして利用でき、しかも収納時にコンパクトにまとまる毛布を提供する。【解決手段】毛布は、布材１１１と、一対の袖部材（左袖部材１２１、右袖部材１２２）と、袋部１４１とにより構成される。布材１１１は、使用者が上掛けできるほどの大きさである。布材１１１には、該布材１１１を上掛けする使用者の両肩のそれぞれに対応した部分には、一対の腕入孔１３１、１３２が設けられる。左袖部材１２１及び右袖部材１２２は、布材１１１から延び、腕入孔１３１、１３２に連通する。袋部１４１は、布材１１１において使用者が布材１１１を上掛けし左袖部材１２１と右袖部材１２２袖部材とに腕通ししたときの使用者の足に対応する部分に設けられる。袋部１４１は、開口１４３を有する。【選択図】図４
0003171667.tif 000002
【実用新案登録請求の範囲】
【請求項１】
使用者が上掛けできるほどの大きさを有する布材と、
前記布材において前記布材を上掛けする使用者の両肩のそれぞれに対応した部分に設けられ、使用者が腕入れできる一対の腕入孔と、
使用者が前記布材を上掛けしたときに使用者側を向く前記布材の第１面とは反対側の第２面から延び、前記一対の腕入孔のそれぞれに連通する一対の袖部材と、
前記布材の第１面において使用者が前記布材を上掛けし前記袖部材に腕通ししたときの使用者の足に対応する部分に設けられ、開口を有する袋部と、
を備える毛布。
【請求項２】
前記袋部の開口は、使用者の足が延びる側とは反対側に位置し、前記布材を上掛けした状態の使用者が足を入れることができないように設けられる、
請求項１記載の毛布。
【請求項３】
前記袋部の開口は、前記布材の縁部に略一致させて設けられる、
請求項２記載の毛布。
【請求項４】
前記袋部の開口は、使用者の足が延びる側に位置し、前記布材を上掛けした状態の使用者が足を入れることができるように設けられる、
請求項１記載の毛布。
【考案の詳細な説明】
【技術分野】
【０００１】
本考案は、椅子に腰掛けたりソファに横座りしたりする際に上掛け且つ袖通しができ寒さ避けとして利用できる毛布に関する。
【背景技術】
【０００２】
特許文献１には、「スポーツ観戦及び屋外レジャー用毛布」の考案が開示されている。特許文献１には、「毛布10は長方形であり、上下が１２０〜１８０ｃｍの長辺11、11´であり、左右は８０〜１２０ｃｍの短辺12、12´である。四隅は丸められ、周囲は縁布13で被覆する。裏面の左右側縁の上半部の上下端部に相互脱着自在なボタン 14、15、14´、15´を止着する。」、及び、「左右の上のボタン14、14´を下のボタンに結合すると、両側に袖16、16´ を持つガウン状の外衣を形成する。この左右の袖16、16´に手を通して外衣となった毛布10を着用する。」との記載がある（同文献の段落０００６〜０００７、図１及び図２参照）。
【０００３】
特許文献２には、「保温などのためのコートやガウンなどとして着用できることは勿論、肌掛け布団や毛布などのように人の前面から着用できる衣類に転用することができ、しかも、簡単な構造で低コストで製造できる転用可能なコート状外衣」の考案が開示されている（同文献の要約、並びに、図１乃至図５参照）。
【先行技術文献】
【特許文献】
【０００４】
【特許文献１】実用新案登録第３００１４０３号公報
【特許文献２】実用新案登録第３１０９５３２号公報
【考案の概要】
【考案が解決しようとする課題】
【０００５】
特許文献１記載の「スポーツ観戦及び屋外レジャー用毛布」や、特許文献２記載の「コート状外衣」は、いずれも、使用者の身体を覆うことができるほどに大きい。このため、非使用時の収納の仕方や持ち運び方が問題になる。というのも、このような大きな毛布・外衣は、単純に畳み込んでも崩れやすいからである。また、持ち運びの際にも崩れやすいからである。
【０００６】
本発明の目的は、椅子に腰掛けたりソファに横座りしたりする際に上掛け且つ袖通しができ寒さ避けとして利用でき、しかも収納時にコンパクトにまとまる毛布を提供することである。
【課題を解決するための手段】
【０００７】
本発明の毛布は、使用者が上掛けできるほどの大きさを有する布材と、前記布材において前記布材を上掛けする使用者の両肩のそれぞれに対応した部分に設けられ、使用者が腕入れできる一対の腕入孔と、使用者が前記布材を上掛けしたときに使用者側を向く前記布材の第１面とは反対側の第２面から延び、前記一対の腕入孔のそれぞれに連通する一対の袖部材と、前記布材の第１面において使用者が前記布材を上掛けし前記袖部材に腕通ししたときの使用者の足に対応する部分に設けられ、開口を有する袋部と、を備える。
【考案の効果】
【０００８】
本考案によれば、使用者が腕入孔から袖部材に腕通しをして布材を上掛けでき、この状態で椅子に腰掛けたりソファに横座りしたりすることができ、寒さを防ぐことができる。また、布材において使用者が布材を上掛けし袖部材に腕通ししたときの使用者の足に対応する部分に袋部が設けられていて、この袋部の開口に布材や袖部材を収納できるので、収納時に毛布全体がコンパクトにまとまる。
【図面の簡単な説明】
【０００９】
【図１】第一の実施の形態における、使用者が毛布を使用している状態を示す外観図である。
【図２】第一の実施の形態における、毛布の正面図である。
【図３】第一の実施の形態における、毛布の背面図である。
【図４】第一の実施の形態における、広げられた状態の毛布の正面図である。
【図５】第一の実施の形態における、縦折りした状態の毛布の外観図である。
【図６】第一の実施の形態における、袋部に収納された毛布の外観図である。
【図７】第二の実施の形態における、広げられた状態の毛布の正面図である。
【図８】第二の実施の形態における、外側仮想線に沿って縦折りした状態の毛布の外観図である。
【図９】第二の実施の形態における、内側仮想線に沿って縦折りした状態の毛布の外観図である。
【図１０】第二の実施の形態における、袋部に収納された毛布の外観図である。
【考案を実施するための形態】
【００１０】
実施の一形態を、図１ないし図６に基づいて説明する。説明の便宜上、本実施の形態を第一の実施の形態と呼ぶ。
【００１１】
図１は、使用者Ｐが毛布１０１を使用している状態を示す外観図である。毛布１０１は、図１に示すように、前閉じ式で左前の外衣としても使用できるものである。使用者Ｐは、毛布１０１を上掛けし着用した状態で、椅子に腰掛けた姿勢や、ソファに横座りして脚を伸ばしたり曲げたりした姿勢を取ることができる。毛布１０１は、布材１１１と、一対の袖部材としての左袖部材１２１及び右袖部材１２２とから構成される。
【００１２】
布材１１１は、中央部１１１Ａ（図３及び図４参照）と左前部１１１Ｂと右前部１１１Ｃとで構成され、使用者Ｐが上掛けできるほどの大きさを有している。以下の説明において、使用者Ｐが布材１１１を上掛けしたときに使用者Ｐ側を向く布材１１１の一方の面を、第１面１１１Ｘと呼ぶ。また、布材１１１における第１面１１１Ｘとは反対側の面を、第２面１１１Ｙと呼ぶ。布材１１１には、使用者Ｐが着用したときに使用者Ｐの首周りに位置付けられる襟部１１２が形成される。布材１１１の右前部１１１Ｃ側の端部には、ボタン１１３が取付けられている。布材１１１の左前部Ｂ側の端部には、ボタン１１３を挿通させるためのボタン孔１１４が形成されている。
【００１３】
布材１１１は、一枚の生地より採寸・裁断された三枚の素材（中央部１１１Ａ、左前部１１１Ｂ、右前部１１１Ｃ）を用いて、縫製等により形成される（図４参照）。左袖部材１２１や右袖部材１２２は、それぞれ別個に、一枚の生地から採寸・裁断された後に縫製等により形成される。布材１１１、左袖部材１２１及び右袖部材１２２は、保温性に優れた繊維素材で形成されることが好ましい。一例として、これらは、ポリエステル素材から作られる。また、これらは、難燃性の繊維素材で形成されてもよい。また、表地に耐水性を持つ素材を適用し、且つ、裏地に保温性もつ素材を適用するようにしてもよい。その他、編物、不織布、合成樹脂シート材などによる生地を用いても良い。そして、毛布１０１は、布材１１１と左袖部材１２１とを縫合し、布材１１１と右袖部材１２２とが縫製等により合着され、毛布１０１の縁部と左袖部材１２１の袖口と右袖部材１２２の袖口とを縁布１２３で被覆して、形成される。なお、布材１１１、左袖部材１２１及び右袖部材１２２は、同じ素材から形成されることが好ましい。
【００１４】
図２は、毛布１０１の正面図である。図３は、毛布１０１の背面図である。図４は、広げられた状態の毛布１０１の正面図である。図１、図２、図３及び図４を参照する。布材１１１は、中央部１１１Ａと左前部１１１Ｂと右前部１１１Ｃとを、縫合線１１１Ｄ、１１１Ｅで縫合して形成され、略左右対称となっている。布材１１１の全幅ｗは、平均的な大人の胴周囲の長さよりも大きく、少なくとも２倍程度に形成されている。また、中央部１１１Ａの幅ｗ１は、布材１１１の全幅ｗの略半分となっている。また、布材１１１の上下方向の長さｈは、平均的な大人の肩から足下までの長さよりも大きい。
【００１５】
毛布１０１には、一対の腕入孔１３１、１３２が形成される。腕入孔１３１、１３２は、布材１１１において布材１１１を上掛けする使用者Ｐの両肩のそれぞれに対応した部分に設けられる。腕入孔１３１は、中央部１１１Ａと左前部１１１Ｂとの縫合線１１１Ｄ上に位置し、縫合の際に腕入孔１３１を形成するように一部を縫合せずその余の部分を縫合することで設けられる。腕入孔１３２は、中央部１１１Ａと右前部１１１Ｃとの縫合線１１１Ｅ上に位置し、縫合の際に腕入孔１３２を形成するように一部を縫合せずその余の部分を縫合することで設けられる。腕入孔１３１、１３２のいずれも、使用者Ｐが腕入れできる大きさに開口する。縫合線１１１Ｄ、１１１Ｅ上で腕入孔１３１、１３２の下方には、型崩れ防止のためのパット材１３３が取付けられている。
【００１６】
左袖部材１２１及び右袖部材１２２は、布材１１１の第２面１１１Ｙから延びている。これら襟部１１２及び右袖部材１２２は、腕入孔１３１、１３２に連通するように、第２面１１１Ｙに縫合される。これにより、使用者Ｐは、毛布１０１を上掛けした際に、腕入孔１３１、１３２から左袖部材１２１及び右袖部材１２２のそれぞれに腕通しできる。腕通しすることで、使用者Ｐは、椅子に腰掛けたりソファに横たえたりした姿勢をとっても、毛布１０１が身体から離れること無く、保温が図られる。
【００１７】
毛布１０１は、袋部１４１を有する。袋部１４１は、布材１１１の第１面１１１Ｘにおいて使用者Ｐが布材１１１を上掛けし左袖部材１２１及び右袖部材１２２に腕通ししたときの使用者Ｐの足に対応する部分に設けられる。袋部１４１は、略正方形の小布体１４２を布材１１１の中央部１１１Ａの第１面１１１Ｘ側に重ね合わせ、中央部１１１Ａの幅方向の略中央位置に配置し、この小布体１４２のうち三辺を縫合することにより形成される。小布体１４２の一辺の長さは、中央部１１１Ａの幅ｗ１の略半分である。小布体１４２は、中央部１１１Ａと同じ素材であることが望ましい。袋部１４１の開口１４３は、小布体１４２のうち縫合されなかった一辺と中央部１１１Ａとに囲われて形成される。本実施の形態では、袋部１４１の開口１４３が、毛布１０１の下方に向いている。即ち、袋部１４１の開口１４３は、使用者Ｐの足が延びる側とは反対側に位置し、布材１１１を上掛けした状態の使用者Ｐが足を入れることができないように設けられる。さらに、本実施の形態では、袋部１４１の開口１４３は、布材１１１の中央部１１１Ａの下縁部１１１Ｆに略一致させて設けられる。
【００１８】
本実施の形態によれば、図１に示すように、使用者Ｐが腕入孔１３１、１３２から左袖部材１２１と右袖部材１２２とに腕通しをして布材１１１を上掛けでき、この状態で椅子に腰掛けたりソファに横座りしたりすることができ、寒さを防ぐことができる。また、本実施の形態では、袋部１４１が、布材１１１の中央部１１１Ａの第１面１１１Ｘ側に小布体１４２を縫合して形成されるので、使用者Ｐに毛布１０１を着用した際に使用者Ｐの背面足元に小布体１４２の縫い目があらわれないので、着用時の外見が良い。さらに、本実施の形態では、布材１１１において使用者Ｐが布材１１１を上掛けし左袖部材１２１と右袖部材１２２とに腕通ししたときの使用者Ｐの足に対応する部分に袋部１４１が設けられており、この袋部１４１の開口１４３に布材１１１や袖部材（左袖部材１２１、右袖部材１２２）を収納できるので、収納時に毛布１０１の全体がコンパクトにまとまる。以下、毛布１０１を袋部１４１に収納する手順を、図２、図５及び図６に基づいて説明する。
【００１９】
図２を参照する。毛布１０１を袋部１４１に収納する場合、毛布１０１の左前部１１１Ｂと右前部１１１Ｃとを閉じた状態で毛布１０１の正面側を上にして床面等に広げる。次いで、毛布１０１を、袋部１４１の左右の側辺に沿う仮想線Ｋを谷折線として、毛布１０１の左右両側部分を毛布１０１の中央部分の上に重ね合わせるように縦折りにする。
【００２０】
図５は、縦折りした状態の毛布１０１の外観図である。図６は、袋部１４１に収納された毛布１０１の外観図である。上記のように毛布１０１を縦折りすることで、畳まれた毛布１０１の横幅と開口１４３の横幅とが略一致する。この状態で、毛布１０１を図５中の矢印Ｒに従って上方から丸め、開口１４３から袋部１４１内に押し込んで袋部１４１で毛布１０１を包み込む。これにより、図６に示すように、毛布１０１の全体が袋部１４１に収納されてコンパクトにまとまって、型崩れしなくなる。本実施の形態では、袋部１４１の開口１４３が布材１１１の縁部に略一致しており、コンパクトにまとまった状態の毛布１０１が全体として丸みを帯びるようになり、それ自身の復元力により広がることがない。また、毛布１０１の全体が袋部１４１に収納されてコンパクトにまとまると、縁布１２３が毛布１０１の外面の略中央を横切り、見た目がよい。このようにコンパクトにまとめられた毛布１０１は、厚みのあるクッションや枕として用いることができる。
【００２１】
なお、毛布１０１は、使用者Ｐが腕を左袖部材１２１や右袖部材１２２に通さずに肌掛布団のように使用したり、適宜の大きさに折り畳んで膝掛けとして使用したりすることもできる。また、毛布１０１の長さｈを短くして着用した際に使用者Ｐの膝下が露出するようにしてもよい。
【００２２】
実施の別の一形態を、図７ないし図１０に基づいて説明する。説明の便宜上、本実施の形態を第二の実施の形態と呼ぶ。この場合、前述した第一の実施の形態と同一の部分には同じ符号を付し、説明を省略する。
【００２３】
図７は、広げられた状態の毛布１０１の正面図である。本実施の形態の毛布１０１では、袋部１４１の開口１４３が、毛布１０１の上方に向いている。即ち、袋部１４１の開口１４３は、使用者Ｐの足が延びる側に位置し、布材１１１を上掛けした状態の使用者Ｐが足を入れることができるように設けられる。このため、本実施の形態では、袋部１４１の開口１４３は、布材１１１の中央部１１１Ａの下縁部１１１Ｆとは一致しない。
【００２４】
本実施の形態によっても、図１に示すように、使用者Ｐが腕入孔１３１、１３２から左袖部材１２１と右袖部材１２２とに腕通しをして布材１１１を上掛けでき、この状態で椅子に腰掛けたりソファに横座りしたりすることができ、寒さを防ぐことができる。また、本実施の形態では、使用者Ｐが毛布１０１を着用したときに袋部１４１に足入れをすることができ、使用者Ｐの足先の冷えを抑えることができる。
【００２５】
なお、本実施の形態でも、袋部１４１の開口１４３に布材１１１や袖部材（左袖部材１２１、右袖部材１２２）を収納して、毛布１０１の全体がコンパクトにまとまることができる。以下、毛布１０１を袋部１４１に収納する手順を、図７、図８，図９及び図１０に基づいて説明する。
【００２６】
図７を参照する。本実施の形態の毛布１０１を袋部１４１に収納する場合、毛布１０１の左前部１１１Ｂと右前部１１１Ｃとを開いた状態で毛布１０１の第１面１１１Ｘを上にして床面等に広げる。次いで、毛布１０１を、外側仮想線Ｋ１を谷折線として、毛布１０１の左右両側部分を毛布１０１の中央寄りの部分の上に重ね合わせるように縦折りにする。ここで、外側仮想線Ｋ１とは、袋部１４１の左右の側辺に沿う仮想線Ｋ（以下、説明の便宜上、内側仮想線Ｋ２と呼ぶ）と布材１１１の左右縁１１１Ｇとの略中間に位置し、内側仮想線Ｋ２に平行に延びる仮想線である。
【００２７】
図８は、外側仮想線Ｋ１に沿って縦折りした状態の毛布１０１の外観図である。次いで、毛布１０１を、内側仮想線Ｋ２を山折線として、毛布１０１の左右両側部分を毛布１０１の中央部分の下に重ね合わせるように縦折りにする。
図９は、内側仮想線Ｋ２に沿って縦折りした状態の毛布１０１の外観図である。図１０は、袋部１４１に収納された毛布１０１の外観図である。上記のように毛布１０１を谷折り・山折りすることで、畳まれた毛布１０１の横幅と開口１４３の横幅とが略一致する。この状態で、毛布１０１を図９中の矢印Ｒに従って上方から丸め、図９中の矢印Ｓに従って開口１４３から袋部１４１内に押し込んで、袋部１４１で毛布１０１を包み込む。これにより、図１０に示すように、毛布１０１の全体が袋部１４１に収納されてコンパクトにまとまって、型崩れしなくなる。本実施の形態では、コンパクトにまとまった状態の毛布１０１は、第一の実施の形態よりも平たくなる。また、本実施の形態では、毛布１０１の全体が袋部１４１に収納されてコンパクトにまとまると、縁布１２３が毛布１０１の端部に位置する。
【符号の説明】
【００２８】
１０１  毛布
１１１  布材
１１１Ｆ  下縁部（布材の縁部）
１１１Ｘ  第１面
１１１Ｙ  第２面
１２１  左袖部材（袖部材）
１２２  右袖部材（袖部材）
１３１  腕入孔
１３２  腕入孔
１４１  袋部
１４３  開口
Ｐ  使用者
【図１】
0003171667.tif 000003
【図２】
0003171667.tif 000004
【図３】
0003171667.tif 000005
【図４】
0003171667.tif 000006
【図５】
0003171667.tif 000007
【図６】
0003171667.tif 000008
【図７】
0003171667.tif 000009
【図８】
0003171667.tif 000010
【図９】
0003171667.tif 000011
【図１０】
0003171667.tif 000012